(57)【要約】【課題】蒸発器から発生するドレン水Ｗを排水する排水設備を不要として装置構成の小型化を実現するとともに、凝縮器の冷媒の冷却効率、即ち冷熱の回収効率を向上させ、冷媒の凝縮効率を向上できる温度調整装置を提供する。【解決手段】圧縮機２と、空冷式の凝縮器３と、膨張部４と、蒸発器５とが記載順に設けられた冷凍サイクルを備え、蒸発器５にて冷媒と温調対象空気との熱交換により冷却された温調対象空気を用いて温調対象空間３０を温度調整する温度調整装置であって、凝縮器３が蒸発器５の下方に配置され、蒸発器５と凝縮器３との間に、蒸発器５の結露により発生したドレン水Ｗを貯留して、ドレン水Ｗを凝縮器３に滴下するドレンパン１０を備え、凝縮器３の空気側には、ドレンパン１０から滴下したドレン水Ｗを吸水する、通風性を備えた吸水体１３が設けられている。【選択図】図２
2010175171.tif 000002
【特許請求の範囲】
【請求項１】
冷媒を圧縮する圧縮機と、前記圧縮機にて圧縮された冷媒を凝縮させる空冷式の凝縮器と、前記凝縮器にて凝縮された後の冷媒を膨張させる膨張部と、前記膨張部にて膨張された後の冷媒を蒸発させる蒸発器とが記載順に設けられた冷凍サイクルを備え、前記蒸発器にて冷媒と温調対象空気との熱交換により冷却された前記温調対象空気を用いて温調対象空間を温度調整する温度調整装置であって、
前記凝縮器が前記蒸発器の下方に配置され、
前記蒸発器と前記凝縮器との間に、前記蒸発器の結露により発生したドレン水を貯留して、当該ドレン水を前記凝縮器に滴下するドレンパンを備え、
前記凝縮器の空気側には、前記ドレンパンから滴下したドレン水を吸水する、通風性を備えた吸水体が設けられている温度調整装置。
【請求項２】
前記空冷式の凝縮器が、前記冷媒を冷却する凝縮器冷却用空気の通流方向と並行して複数配置された伝熱板を備えて構成され、前記吸水体が前記並行に配置された複数の伝熱板の隣接間に設けられている請求項１に記載の温度調整装置。
【請求項３】
前記凝縮器が上下方向で分割された複数の凝縮器から構成され、少なくとも高温の前記冷媒が流入する上側の凝縮器に前記吸水体が設けられている請求項１又は２に記載の温度調整装置。
【請求項４】
前記上側の凝縮器の下部に、当該上側の凝縮器を通過した前記ドレン水を貯留可能で、前記上側の凝縮器と前記下側の凝縮器とに仕切る仕切り板を設けた請求項３に記載の温度調整装置。
【請求項５】
前記空冷式の凝縮器が、前記冷媒を冷却する凝縮器冷却用空気の通流方向と並行して複数配置された伝熱板を備えて構成され、
前記吸水体が、前記凝縮器を通流する前記冷媒の配管の外周部に設けられている請求項１に記載の温度調整装置。
【発明の詳細な説明】
【技術分野】
【０００１】
本発明は、圧縮機と、凝縮器と、膨張部と、蒸発器とが記載順に設けられた冷凍サイクルを備え、蒸発器にて冷却された温調対象空気を用いて温調対象空間を温度調整する温度調整装置に関する。
【背景技術】
【０００２】
上記冷凍サイクルを利用した温度調整装置として、冷媒を圧縮する圧縮機と、圧縮機にて圧縮された冷媒を凝縮させる空冷式の凝縮器と、凝縮器にて凝縮された後の冷媒を膨張させる膨張部と、膨張部にて膨張された後の冷媒を蒸発させる蒸発器とが記載順に設けられた冷凍サイクルを備え、蒸発器にて冷媒と温調対象空気との熱交換により冷却された温調対象空気を用いて冷却対象空間を冷却する冷却装置がある（例えば、特許文献１を参照）。
【０００３】
上記温度調整装置、例えば、特許文献１に記載の冷却装置では、冷却装置の運転に伴い、温調対象空気を冷却する蒸発器の表面において結露により水（ドレン水）が発生し、このドレン水を何らかの方法により処理する必要がある。そのため、特許文献１に記載の冷却装置では、蒸発器から発生したドレン水をドレンパンにより一時的に貯留して、凝縮器を冷却するための凝縮器冷却用空気が通流する方向において当該凝縮器の下流側に多孔質の吸水体を設け、この吸水体にドレン水を滴下して吸水させる。そして、この吸水されたドレン水を当該吸水体内において、凝縮器を通過した後の凝縮器冷却用空気により蒸発させる構成を採用している。
【０００４】
これにより、特許文献１に記載の冷却装置では、ドレン水を蒸発させるための電気ヒータを設ける必要がなく消費電力を低減できるとともに、凝縮器を通過した後の比較的暖かい凝縮器冷却用空気を吸水体に供給してドレン水を蒸発させ、排熱を有効に利用することができるとされる。
【先行技術文献】
【特許文献】
【０００５】
【特許文献１】特開２００７−３２７６６６号公報
【発明の概要】
【発明が解決しようとする課題】
【０００６】
しかし、上記特許文献１に記載の冷却装置では、冷却装置を構成する筐体中に凝縮器及びドレン水を吸水するための吸水体が、凝縮器冷却用空気が通流する上流側から下流側に向けて配置されているため比較的大きなスペースが必要となり、冷却装置が大型化する問題がある。
【０００７】
本発明は、上記の課題に鑑みてなされたものであり、その目的は、蒸発器から発生するドレン水を排水する排水設備を不要として装置構成の小型化を実現できる温度調整装置を提供する点にある。
【課題を解決するための手段】
【０００８】
上記目的を達成するための本発明に係る温度調整装置は、冷媒を圧縮する圧縮機と、前記圧縮機にて圧縮された冷媒を凝縮させる空冷式の凝縮器と、前記凝縮器にて凝縮された後の冷媒を膨張させる膨張部と、前記膨張部にて膨張された後の冷媒を蒸発させる蒸発器とが記載順に設けられた冷凍サイクルを備え、前記蒸発器にて冷媒と温調対象空気との熱交換により冷却された前記温調対象空気を用いて温調対象空間を温度調整する温度調整装置であって、その特徴構成は、
前記凝縮器が前記蒸発器の下方に配置され、
前記蒸発器と前記凝縮器との間に、前記蒸発器の結露により発生したドレン水を貯留して、当該ドレン水を前記凝縮器に滴下するドレンパンを備え、
前記凝縮器の空気側には、前記ドレンパンから滴下したドレン水を吸水する、通風性を備えた吸水体が設けられている点にある。
【０００９】
上記特徴構成によれば、温度調整装置の運転に伴い蒸発器の結露により発生したドレン水は当該蒸発器の下方に配置されたドレンパンに貯留された後、蒸発器及びドレンパンの下方に配置された凝縮器に直接滴下する。そして、凝縮器に滴下したドレン水は、当該凝縮器の空気側に設けられた吸水体に吸水され降下速度が低下するため、空冷式の凝縮器を通過する凝縮器冷却用空気と比較的長い時間接触することとなり、蒸発が促進される。これにより、凝縮器において、冷媒を凝縮器冷却用空気との熱交換のみならず、ドレン水の蒸発潜熱による熱交換により冷却することができ、凝縮器の冷却効率、即ち冷熱の回収効率を向上させ、冷媒の凝縮効率を向上することができる。
また、ドレン水は凝縮器の空気側で蒸発して凝縮器冷却用空気とともに排出されるので、ドレン水を排水する排水設備を設ける必要がないとともに、吸水体を凝縮器に配置することができるため、温度調整装置の装置構成の小型化を実現することができる。
【００１０】
本発明に係る温度調整装置の更なる特徴構成は、前記空冷式の凝縮器が、前記冷媒を冷却する凝縮器冷却用空気の通流方向と並行して複数配置された伝熱板を備えて構成され、前記吸水体が前記並行に配置された複数の伝熱板の隣接間に設けられている点にある。
【００１１】
上記特徴構成によれば、凝縮器を通流する凝縮器冷却用空気の通流方向と並行して複数の伝熱板が配置されるとともに、この複数の伝熱板の隣接間に通風性を備えた吸水体が設けられているので、凝縮器における当該凝縮器冷却用空気の通流が吸水体により阻害されることがなく、吸水体を通過する凝縮器冷却用空気とドレンパンから滴下して吸水体に吸水されたドレン水との接触を確実なものに保ちながら、これら凝縮器冷却用空気及びドレン水による冷媒の冷却を促進することができる。特に、吸水体がドレン水の降下方向に長く配置されることとなるので、吸水体にドレン水をより長く滞留させることができ、凝縮器冷却用空気とドレン水との接触をより確実なものとしながら、凝縮器冷却用空気及びドレン水による冷媒の冷却をより促進することができる。これにより、ドレン水の蒸発を促進できるとともに、凝縮器の冷却効率、即ち冷熱の回収効率を向上させ、冷媒の凝縮効率を向上することができる。
【００１２】
本発明に係る温度調整装置の更なる特徴構成は、前記凝縮器が上下方向で分割された複数の凝縮器から構成され、少なくとも高温の前記冷媒が流入する上側の凝縮器に前記吸水体が設けられている点にある。
【００１３】
上記特徴構成によれば、凝縮器が上下方向で複数に分割されているとともに、少なくとも高温の冷媒が流入する上側の凝縮器に吸水体が設けられているので、比較的高温の冷媒により上側の凝縮器の吸水体に吸水されたドレン水を、より効率的に蒸発させることができる。よって、より効率的に冷媒の冷却及びドレン水の蒸発を行うことができ、凝縮器の冷却効率、即ち冷熱の回収効率をより一層向上させ、冷媒の凝縮効率をより一層向上することができる。
【００１４】
本発明に係る温度調整装置の更なる特徴構成は、前記上側の凝縮器の下部に、当該上側の凝縮器を通過した前記ドレン水を貯留可能で、前記上側の凝縮器と前記下側の凝縮器とに仕切る仕切り板を設けた点にある。
【００１５】
上記特徴構成によれば、複数に分割された上側の凝縮器の下部に、当該上側の凝縮器を通過したドレン水を貯留する仕切り板を設けてあるので、仕切板によりドレン水の更なる降下が妨げられ、ドレン水を上側の凝縮器の吸水体に吸水させた状態で維持することができる。これにより、比較的高温の冷媒が流入する上側の凝縮器にドレン水を保持して、より一層効率的に冷媒の冷却及びドレン水の蒸発を行うことができる。
【００１６】
本発明に係る温度調整装置の更なる特徴構成は、前記空冷式の凝縮器が、前記冷媒を冷却する凝縮器冷却用空気の通流方向と並行して複数配置された伝熱板を備えて構成され、
前記吸水体が、前記凝縮器を通流する前記冷媒の配管の外周部に設けられている点にある。
【００１７】
上記特徴構成によれば、凝縮器を通流する凝縮器冷却用空気の通流方向と並行して複数の伝熱板が配置されるとともに、当該凝縮器を通流する冷媒の配管の外周部に通風性を備えた吸水体が設けられているので、凝縮器における当該凝縮器冷却用空気の通流が吸水体により阻害されることがなく、凝縮器を通過する凝縮器冷却用空気とドレンパンから滴下して吸水体に吸水されたドレン水との接触を確実なものに保ちながら、これら凝縮器冷却用空気及びドレン水による冷媒の冷却を促進することができる。特に、冷媒の配管に近接して吸水体が設けられているので、吸水体に吸水されたドレン水による冷媒の冷却をより促進することができる。これにより、ドレン水の蒸発を促進できるとともに、凝縮器の冷却効率、即ち冷熱の回収効率を向上させ、冷媒の凝縮効率を向上することができる。
【図面の簡単な説明】
【００１８】
【図１】温度調整装置の概略構成を示す図
【図２】蒸発器及び凝縮器の概略構成を示す図
【図３】多孔質板が設けられた上側の凝縮器の概略内部構成を示す図
【図４】多孔質板が設けられていない下側の凝縮器の概略内部構成を示す図
【図５】別実施形態に係る伝熱チューブの概略構成を示す断面図
【発明を実施するための形態】
【００１９】
以下に、本発明に係る温度調整装置の実施形態について説明する。
図１は、温度調整装置の概略構成を示す図、図２は、本願に係る蒸発器及び凝縮器の概略構成を示す図、図３は、多孔質板が設けられた上側の凝縮器の概略内部構成を示す図、図４は、多孔質板が設けられていない下側の凝縮器の概略内部構成を示す図である。
【００２０】
まず、温度調整装置の基本的な構成について説明する。
図１に示すように、温度調整装置は、冷媒が循環する循環経路１を備える。温度調整装置は、循環経路１の途中において、蒸発した冷媒を圧縮する圧縮機２と、圧縮機２にて圧縮された冷媒を凝縮させる空冷式の凝縮器３と、凝縮器３にて凝縮された後の冷媒を膨張させる膨張弁４（膨張部の一例）と、膨張弁４にて膨張された後の冷媒を蒸発させ、吸入空気（温調対象空気の一例）と冷媒との熱交換により吸入空気を冷却する蒸発器５とが記載順に設けられた冷凍サイクルを備える。
【００２１】
また、温度調整装置は、蒸発器５において冷却された冷却空気（温調対象空気の一例）を加熱して吹出空気（温調対象空気の一例）とする電気式のヒータ６（加熱手段の一例）と、吸入空気を吸い込んで、蒸発器５及びヒータ６を経由した後で温度調整装置から吹出空気として温調対象空間３０に排出するための温調対象空気の流れを作り出す蒸発器用ファン７とを備えるとともに、凝縮器用吸入空気（凝縮器冷却用空気の一例）を吸い込んで、凝縮器３を経由した後で凝縮器用排出空気（凝縮器冷却用空気の一例）として外部に排出するための凝縮器冷却用空気の流れを作り出す凝縮器用ファン８とを備える。なお、図３及び図４に示すように、この凝縮器冷却用空気の流れ方向（通流方向）は、Ｘ方向として図示している。
さらに、温度調整装置は、図１に示すように、蒸発器５とヒータ６との間に設けられた温度センサ１４、及びヒータ６と蒸発器用ファン７の下流側に設けられた温度センサ１５から検出された温度情報を用いて、温調対象空間３０に排出される吹出空気の温度が吹出目標温度となるように温調対象装置の各機器の運転を制御する制御手段９とを備える。
【００２２】
次に、本発明に係る温度調整装置は、図１及び図２に示すように、蒸発器５の表面で結露により発生した水（ドレン水Ｗ）を貯留して、このドレン水Ｗを凝縮器３に滴下させるドレンパン１０を備える。ドレンパン１０は、後述するように、蒸発器５の下部で、かつ凝縮器３の上部、すなわち、蒸発器５と凝縮器３との間に配置される。ドレンパン１０は、蒸発器５で発生したドレン水Ｗを集水する集水部１０ａと、集水部１０ａにて集水されたドレン水Ｗを貯留する貯留部１０ｂとから構成され、当該貯留部１０ｂの下部に設けられた複数の貫通孔からドレン水Ｗを凝縮器３の上部に満遍なく適切な量で滴下（散水）できるように構成されている。
【００２３】
凝縮器３は、図２〜図４に示すように、空冷式でフィン・チューブ式の熱交換器から構成されている。
この凝縮器３には、冷媒の通流する循環経路１の一部を形成する伝熱チューブ１ａ（配管の一例）が、当該凝縮器３の上部付近から挿入され、内部を循環しつつ下部付近から排出されるように配置されている。この伝熱チューブ１ａを通流する冷媒は、凝縮器３に流入する上部付近では圧縮機２で圧縮された状態の冷媒であるので、比較的高温（例えば、７５〜９５℃）であるが、凝縮器３から排出される下部付近では、凝縮器３で凝縮器用吸入空気及びドレン水Ｗとの熱交換により比較的低温（例えば、３５℃）にまで冷却される。
【００２４】
凝縮器３は、伝熱チューブ１ａ内の冷媒を冷却する凝縮器用吸入空気の通流方向Ｘと並行して（図３、図４参照）、複数配置された平板状の伝熱フィン１１（伝熱板の一例）を備えて構成される。そして、凝縮器用ファン８により外部から吸い込まれた凝縮器用吸入空気を、各伝熱フィン１１の隣接間にＸ方向に通流させることで、当該凝縮器用吸入空気により冷却された伝熱フィン１１を介して、或いは凝縮器用吸入空気により、伝熱チューブ１ａを通流する冷媒を冷却することが可能に構成されている。
【００２５】
そして、凝縮器３は、上下方向で分割されて別体に形成された複数の凝縮器（本実施形態では２つ、すなわち、上側の凝縮器３ａ，下側の凝縮器３ｂ）から構成される。この上側の凝縮器３ａの下部には、当該上側の凝縮器３ａを通過したドレン水Ｗが下側の凝縮器３ｂへ降下するのを防止する仕切り板１２が設けられ、当該仕切り板１２によりドレン水Ｗを上側の凝縮器３ａに貯留することが可能に構成されている。すなわち、この仕切り板１２は、上部が開口した箱状に形成され、底部がフラットで貫通孔は形成されていないので、当該箱状に形成された内部にドレン水Ｗを貯留することができるように構成されている。なお、上側の凝縮器３ａと下側の凝縮器３ｂの上下方向の大きさは、蒸発させる必要があるドレン水の量、及び冷却する必要がある冷媒量と温度等の関係から適宜設定される。例えば、上側の凝縮器３ａを通過し下側の凝縮器３ｂを通過する前の冷媒の温度が５０℃前後となるように、これら凝縮器３ａ，３ｂの大きさ（仕切り板１２が配置される高さ位置）を決定することができる。
【００２６】
加えて、図２及び図３に示すように、凝縮器３のうち上側の凝縮器３ａの内部（空気側）には、凝縮器用吸入空気を通流させるための各伝熱フィン１１の隣接間に、平板状の多孔質板１３（吸水体の一例）が設けられている。この多孔質板１３は、通風性を有し吸水性を備える多孔質板であれば特に制限なく用いることができ、例えば、ガラス繊維などの繊維体、スポンジ等の多孔質体を用いることができる。本実施形態では、ガラス繊維からなる多孔質板１３が採用されている。
これにより、蒸発器５で発生したドレン水Ｗは、ドレンパン１０を介して上側の凝縮器３ａに滴下されて多孔質板１３に吸水され、多孔質板１３に吸水されなかったドレン水Ｗは仕切り板１２内に貯留されるように構成されている。
なお、図４に示すように、凝縮器３のうち下側の凝縮器３ｂには、凝縮器用吸入空気を通流させるための各伝熱フィン１１の隣接間に平板状の多孔質板１３は設けられておらず、従来構成の空冷式の熱交換器である。
【００２７】
以上が、本発明に係る温度調整装置の構成であるが、この温度調整装置を用いて温調対象空間３０を温度調整する方法について、以下に説明する。
温度調整装置の運転が開始されると、制御手段９は、蒸発器５において冷却されて排出される冷却空気の温度と、ヒータ６において加熱されて排出される吹出空気の温度との両方を制御して、冷却空気の制御目標温度（冷却目標温度）を、吹出空気の制御目標温度（吹出目標温度）よりも僅かに低く設定する。そして、制御手段９は、ヒータ６を用いて冷却空気を加熱して、吹出空気の温度が吹出目標温度と同じになるようにする。このように、冷却目標温度を吹出目標温度よりも僅かに低く設定することで、ヒータ６での加熱要求量を僅かにして温度制御の精度を高めながら消費電力を抑えるようにしている。これにより、温調対象空間３０を吹出目標温度に精密に温度調整することができる。
【００２８】
この際、制御手段９は、冷却空気の温度を制御するために、蒸発器５の冷却能力、すなわち、蒸発器５を通流する冷媒量を調節する。つまり、制御手段９は、冷却空気の温度を上昇させるためには圧縮機２の回転速度を低下させて蒸発器５を流通する冷媒量を減少させ、冷却空気の温度を低下させるためには圧縮機２の回転速度を上昇させて蒸発器５を流通する冷媒量を増加させる。また、制御手段９は、吹出空気の温度を制御するためには電気式のヒータ６への通電量を調節する。さらに、制御手段９は、凝縮器３における冷媒の温度を制御するために、凝縮器３の冷却能力、すなわち、凝縮器３に吸い込まれる凝縮器用吸入空気の量を調整する。つまり、制御手段９は、凝縮器用ファン８の出力を調整して凝縮器３に吸い込まれる凝縮器用吸入空気の量を調整して、凝縮器３における冷媒の温度、特に当該凝縮器３から排出される冷媒の温度をある程度調整可能である。
【００２９】
このようにして温度調整装置の運転が継続すると、蒸発器５の表面において結露により水（ドレン水Ｗ）が発生するが、このドレン水Ｗはドレンパン１０の集水部１０ａで集水され、貯留部１０ｂに順次貯留される。貯留されたドレン水Ｗは、貯留部１０ｂの下部に設けられた貫通孔を介して上側の凝縮器３ａに満遍なく滴下し、当該上側の凝縮器３ａに設けられた多孔質板１３であるガラス繊維に吸水される。そして、当該ガラス繊維内に吸水されたドレン水Ｗは降下速度が遅くなり、比較的長い時間をかけて上側の凝縮器３ａの下部に設けられた仕切り板１２に到達することとなる。
【００３０】
したがって、上側の凝縮器３ａにおけるガラス繊維の近傍で伝熱チューブ１ａを通流する比較的高温の冷媒（例えば、７５℃〜９５℃程度）が、ガラス繊維内に吸水されたドレン水Ｗ（例えば、９℃〜１５℃程度）と比較的長い時間熱交換することとなり、このドレン水Ｗは良好に蒸発するとともに、この蒸発潜熱により冷媒も良好に冷却される。この上側の凝縮器３ａで冷却され、下側の凝縮器３ｂに流入する前の冷媒の温度は、例えば、５０℃程度である。このような温度になるように上側の凝縮器３ａ及び下側の凝縮器３ｂの大きさ（仕切り板１２が配置される高さ位置）を形成することで、良好にドレン水を蒸発させることが可能に構成することができる。なお、仮に、蒸発せずに仕切り板１２に到達したドレン水Ｗは、この仕切り板１２により上側の凝縮器３ａに留まるため、冷媒の影響により比較的温度が高く維持された当該上側の凝縮器３ａで確実に蒸発を行うことができる。
加えて、蒸発器３に凝縮器用吸入空気（例えば、２５℃程度）が通流することで、上側の凝縮器３ａではガラス繊維に吸水されたドレン水Ｗ（例えば、９℃〜１５℃程度）が蒸発するとともに、上側の凝縮器３ａ及び下側の凝縮器３ｂでは伝熱チューブ１ａを通流する冷媒を良好に冷却することができ、この下側の凝縮器３ｂから排出された冷媒の温度は、例えば、３５℃程度となる。よって、ドレン水Ｗを確実に蒸発させて処理することができるとともに、ドレン水Ｗの蒸発潜熱をも利用して凝縮器３における冷媒の冷却を効率よく行うことができる。
【００３１】
よって、上記温度調整装置では、蒸発器５から発生するドレン水Ｗを排水する排水設備を不要として装置構成の小型化を実現するとともに、凝縮器３の冷媒の冷却効率、即ち冷熱の回収効率を向上させ、冷媒の凝縮効率を向上できる。
【００３２】
＜別実施形態＞
（１）上記実施形態では、凝縮器３を上下方向に２分割して上側の凝縮器３ａ及び下側の凝縮器３ｂとし、上側の凝縮器３ａに多孔質板１３を設けたが、凝縮器用吸入空気を良好に通過させることができ、かつ、冷却効率を向上できる構成であれば、特にこの構成に限定されるものではない。例えば、凝縮器３を分割せずに一体として構成し、凝縮器３に設けられた複数の伝熱板１１の隣接間に多孔質板１３を設ける構成とすることもできる。すなわち、図３に示す凝縮器３ａを凝縮器３として採用することもできる。
【００３３】
（２）上記実施形態では、凝縮器３を上下方向に２分割して上側の凝縮器３ａ及び下側の凝縮器３ｂ間に仕切り板１２を設けたが、ドレン水Ｗを良好に蒸発させることができる構成であれば、特にこの構成に限定されず、例えば、仕切り板１２を設けずに構成することもできる。この場合、上側の凝縮器３ａに滴下されたドレン水Ｗは多孔質板１３に吸水されて徐々に降下し、当該ドレン水Ｗは伝熱フィン１１の表面に沿って降下する。したがって、当該ドレン水Ｗは、伝熱フィン１１、凝縮器用吸入空気、冷媒との熱交換により良好に蒸発されることとなる。なお、この場合、図示しないが、下側の凝縮器３ｂの下部に、万が一ドレン水Ｗがあふれた際にドレン水Ｗを貯留する底部ドレンパンを設けることもできる。
【００３４】
（３）上記実施形態では、複数の多孔質板１３を各伝熱フィン１１の隣接間に設けたが、ドレン水Ｗを良好に吸水して蒸発させることができる構成であれば、特に制限なく採用することができる。例えば、図５に示すように、冷媒が通流する伝熱チューブ１ｂの外周部を覆うように多孔質体２０を設けて、当該多孔質体２０にドレン水Ｗを吸水させることで冷媒との熱交換を良好に行うことが可能な凝縮器３を採用することもできる。
また、この場合、上側に凝縮器３ａに多孔質体２０を設けた伝熱チューブ１ｂを採用し、下側の蒸発器３ｂに多孔質体を設けない伝熱チューブ１ａを採用する構成を採用して、比較的高温の冷媒を用いて、多孔質体２０に吸水されたドレン水Ｗを確実に蒸発させる構成とすることもできる。
【００３５】
（４）上記実施形態では、蒸発器５から排出された冷却空気をヒータ６で加熱する構成を採用したが、冷却空気を適切に冷却して温調対象空間３０に適切な温度の吹出空気を供給できる構成であれば、ヒータ６を用いずに構成することもできる。
【産業上の利用可能性】
【００３６】
本発明は、圧縮機、空冷式の凝縮器、膨張部、蒸発器の順に冷媒を循環させる冷凍サイクルを備え、蒸発器にて冷媒と温調対象空気との熱交換により冷却された温調対象空気を用いて温調対象空間を温度調整する温度調整装置において、蒸発器から発生するドレン水を排水する排水設備を不要として装置構成の小型化を実現できる技術として有用に利用可能である。
【符号の説明】
【００３７】
２    圧縮機
３ａ  上側の凝縮器（空冷式の凝縮器）
３ｂ  下側の凝縮器（空冷式の凝縮器）
４    膨張弁（膨張部）
５    蒸発器
１０  ドレンパン
１１  伝熱フィン（伝熱板）
１２  仕切り板
１３  多孔質板（吸水体）
３０  温調対象空間
Ｗ    ドレン水
【図１】
2010175171.tif 000003
【図２】
2010175171.tif 000004
【図３】
2010175171.tif 000005
【図４】
2010175171.tif 000006
【図５】
2010175171.tif 000007